(57)【要約】【課題】時計を製造する製造過程で太陽電池を確実に保護することができ、製造後の使用状態で太陽電池を確実に固定することができる時計を提供すること。【解決手段】時計は、ムーブメント３と、ムーブメント３上に重ねて設置され、光を受光することにより電力を生成し、電力をムーブメント３に供給する太陽電池５と、太陽電池５の表側に設置され、光透過性を有する板状の文字板６と、太陽電池５と文字板６との間に、太陽電池５に重ねて設置され、光透過性を有するとともに、入射した光を拡散する光拡散機能を有し、太陽電池５をムーブメント３に対して固定する板状の固定部材７とを備えている。【選択図】図２
2011163877.tif 000002
【特許請求の範囲】
【請求項１】
少なくとも１本の指針を有し、該指針を回転駆動するムーブメントと、
前記ムーブメント上に重ねて設置され、光を受光することにより電力を生成し、該電力を前記ムーブメントに供給する太陽電池と、
前記太陽電池の表側に設置され、前記指針が指し示す文字、記号、図形および目盛りのうちの少なくとも１つが付された、光透過性を有する板状の文字板と、
前記太陽電池と前記文字板との間に、前記太陽電池に重ねて設置され、光透過性を有するとともに、入射した光を拡散する光拡散機能を有し、前記太陽電池を前記ムーブメントに対して固定する板状の固定部材とを備えることを特徴とする時計。
【請求項２】
前記固定部材は、その少なくとも一方の面に微小な凹凸が形成されており、該微小な凹凸により前記光拡散機能が発揮されるものである請求項１に記載の時計。
【請求項３】
前記ムーブメント、前記太陽電池、前記文字板、前記固定部材を収納するケースを備え、
前記ケースは、リング状をなし、その内周部に突出形成された段差部を有する胴部と、該胴部に支持された透明基板とを備え、
前記透明基板と前記文字板とは、前記段差部を介し、該段差部に当接して対向配置されている請求項１または２に記載の時計。
【請求項４】
前記固定部材と前記文字板との位置関係を規制する表側位置決め手段を備える請求項１ないし３のいずれかに記載の時計。
【請求項５】
前記ムーブメントと前記太陽電池と前記固定部材との位置関係を規制する裏側位置決め手段を備える請求項１ないし４のいずれかに記載の時計。
【請求項６】
当該時計は、クロノグラフである請求項１ないし５のいずれかに記載の時計。
【発明の詳細な説明】
【技術分野】
【０００１】
本発明は、時計に関する。
【背景技術】
【０００２】
従来から、ムーブメント、板状の太陽電池および板状の文字板を有し、これらがこの順に重ねて配置された腕時計が知られている（例えば、特許文献１参照）。この特許文献１に記載の腕時計は、太陽電池が光を受光することにより、太陽電池で電力が生成され、その電力をムーブメントに供給して、指針が文字板上を回転駆動するよう構成されている。
この特許文献１に記載の腕時計には、太陽電池をムーブメントに対し固定するリング状の固定部材が配置されている。この固定部材は、ムーブメントとの間で太陽電池の縁部を挟持して、当該太陽電池を固定するよう構成されている。このように特許文献１に記載の腕時計では、太陽電池の縁部しか挟持されていないため、使用中に（経時的に）、太陽電池の縁部を除く中心部付近がムーブメントから浮いてしまうと言う問題があった。また、固定部材で太陽電池をムーブメントに対して固定した状態のものを、腕時計用ケースに収納するまでの過程で、リング状の固定部材から露出した太陽電池の受光面が損傷を受けたり、受光面にゴミなどが付着したりすると言う問題もあった。
【先行技術文献】
【特許文献】
【０００３】
【特許文献１】特開２００１−１３２６８号公報
【発明の概要】
【発明が解決しようとする課題】
【０００４】
本発明の目的は、時計を製造する製造過程で太陽電池を確実に保護することができ、製造後の使用状態で太陽電池を確実に固定することができる時計を提供することにある。
【課題を解決するための手段】
【０００５】
このような目的は、下記の本発明により達成される。
本発明の時計は、少なくとも１本の指針を有し、該指針を回転駆動するムーブメントと、
前記ムーブメント上に重ねて設置され、光を受光することにより電力を生成し、該電力を前記ムーブメントに供給する太陽電池と、
前記太陽電池の表側に設置され、前記指針が指し示す文字、記号、図形および目盛りのうちの少なくとも１つが付された、光透過性を有する板状の文字板と、
前記太陽電池と前記文字板との間に、前記太陽電池に重ねて設置され、光透過性を有するとともに、入射した光を拡散する光拡散機能を有し、前記太陽電池を前記ムーブメントに対して固定する板状の固定部材とを備えることを特徴とする。
これにより、時計を製造する製造過程で太陽電池を確実に保護することができ、製造後の使用状態で太陽電池を確実に固定することができる。
【０００６】
本発明の時計では、前記固定部材は、その少なくとも一方の面に微小な凹凸が形成されており、該微小な凹凸により前記光拡散機能が発揮されるものであることが好ましい。
これにより、固定部材が確実に光拡散機能を有するものとなり、固定部材の裏側にある太陽電池が固定部材を介して視認されるのを防止または抑制することができる。
本発明の時計では、前記ムーブメント、前記太陽電池、前記文字板、前記固定部材を収納するケースを備え、
前記ケースは、リング状をなし、その内周部に突出形成された段差部を有する胴部と、該胴部に支持された透明基板とを備え、
前記透明基板と前記文字板とは、前記段差部を介し、該段差部に当接して対向配置されていることが好ましい。
これにより、透明基板と文字板との間に、段差部の厚さ分の間隙が形成されることとなり、よって、当該間隙に例えば装飾部材を配置することができる。これにより、審美性が高く、デザイン性に富む時計を提供することができる。
【０００７】
本発明の時計では、前記固定部材と前記文字板との位置関係を規制する表側位置決め手段を備えることが好ましい。
これにより、時計を使用している最中に、例えば振動等によって文字板がその面方向に位置ズレするのを確実に防止することができる。
本発明の時計では、前記ムーブメントと前記太陽電池と前記固定部材との位置関係を規制する裏側位置決め手段を備えることが好ましい。
これにより、時計を使用している最中に、例えば振動等によって太陽電池がその面方向に位置ズレするのを確実に防止することができる。
【０００８】
本発明の時計は、クロノグラフであることが好ましい。
固定部材は、光を拡散する光拡散機能と、太陽電池を固定する固定機能とを有するものとなっている。これは、例えば、光拡散機能を有する部材と、固定機能を有する部材とを別体で時計に設けた場合に比べて、時計の薄型化、小型化に寄与する。また、時計は、クロノグラフであり、クロノグラフは一般的に腕時計の中でも特に厚さが厚いものとなってしまうが、このように薄型化されるため、比較的薄型のクロノグラフとなる。
【発明の効果】
【０００９】
本発明によれば、時計を製造する製造過程で太陽電池を確実に保護することができ、製造後の使用状態で太陽電池を確実に固定することができる。
【図面の簡単な説明】
【００１０】
【図１】本発明の時計を腕時計に適用した場合の実施形態を示す斜視図である。
【図２】図１に示す腕時計に内蔵されている主な部品の分解斜視図である。
【図３】図１に示す腕時計に内蔵されている主な部品の分解斜視図である。
【図４】図１に示す腕時計の部分断面図である。
【図５】図４中の一点鎖線で囲まれた領域［Ａ］の拡大詳細図である。
【発明を実施するための形態】
【００１１】
以下、本発明の時計を添付図面に示す好適な実施形態に基づいて詳細に説明する。
図１は、本発明の時計を腕時計に適用した場合の実施形態を示す斜視図、図２および図３は、それぞれ、図１に示す腕時計に内蔵されている主な部品の分解斜視図、図４は、図１に示す腕時計の部分断面図、図５は、図４中の一点鎖線で囲まれた領域［Ａ］の拡大詳細図である。なお、以下では、説明の都合上、図１〜図５中の上側を「上」、「上方」または「表側」、下側を「下」、「下方」または「裏側」と言う。
図１に示すクロノグラフである腕時計（以下、単に「時計」という）１は、外装部（ケース）２と、外装部２の内部に収納され、時計用針（指針）３１ａ、３１ｂ、３１ｃ、３１ｄ、３１ｅ、３１ｆを有するムーブメント３と、時計１を腕に装着する際に用いられるバンド４とを備えている。
【００１２】
図４に示すように、外装部２は、ガラス板（透明基板）２１と、ガラス板２１を保持するリング状の胴部２３と、胴部２３の裏側に設置される裏蓋２５とを有している。なお、図４では、時計用針３１ａ〜３１ｆが省略されている。
胴部２３には、巻真パイプ（図示せず）が嵌入され、この巻真パイプに、りゅうず２４が回転可能に設けられている。りゅうず２４を回転させることにより、そのトルクがムーブメント３に伝わる。これにより、時計用針３１ａ〜３１ｆが回転駆動し、よって、表示する時刻を調整することができる。
【００１３】
また、図４に示すように、胴部２３の内周部には、その中心軸側に向かって突出した段差部２３１が形成されている。この段差部２３１上にガラス板２１が支持されている。なお、ガラス板２１は、胴部２３に対し液密に固定されており、その固定方法としては、特に限定されず、例えば、接着（接着剤や溶媒による接着）による方法、嵌合による方法等が挙げられる。
胴部２３および裏蓋２５の構成材料としては、特に限定されず、例えば、アルミニウムやステンレス鋼等のような各種金属材料、ポリエチレン、ポリプロピレン等のような各種プラスチック材料が挙げられる。
【００１４】
ガラス板２１は、可視光の透過度が例えば５０％以上程度の透明性を有するものである。時計１では、ガラス板２１を介して時計用針３１ａ〜３１ｆを視認することができ、よって、時刻を確認することができる。
なお、「透明」には、無色透明の他、有色（着色）透明も含まれる。また、ガラス板２１の構成材料としては、特に限定されないが、例えば、ソーダ石灰ガラス、ホウケイ酸ガラス、ハードレックス（強化無機ガラス）、クリアレックス（無反射処理）、スピネルガラス、サファイアガラス等のような無機ガラスが挙げられる。
【００１５】
図４に示すように、このような外装部２内には、ムーブメント３が収納されている。
ムーブメント３は、扁平な形状をなし、平面視で全体として丸みを帯びた（丸型）ものである（図２参照）。ムーブメント３は、外装部２に対し固定されている。この固定方法としては、図５に示す構成ではムーブメント３と裏蓋２５との間に中枠２６を配置し、中枠２６の下面に形成される複数のバネ部２６１でムーブメント３を押上げる方法であるが、これに限定されず、例えば、嵌合、接着等による方法も用いることができる。または、中枠を省略してもよい。
【００１６】
このムーブメント３は、上方に向かって突出した軸部３３ａ、３３ｂ、３３ｃ、３３ｄを有している。軸部３３ａは、ムーブメント３の中心部に配置されており、３３ｂ〜３３ｄは、それぞれ、軸部３３ａを中心として所定の間隔をおいて配置されている。軸部３３ａは、現在の時刻表示を行なう時計用針３１ａ（時針）と、現在の時刻表示を行なう時計用針３１ｂ（分針）を回転可能に支持するものである。軸部３３ｂは、１分刻みのクロノグラフ分表示を行なう時計用針３１ｃ（分クロノグラフ針）を回転可能に支持するものである。軸部３３ｃは、アラーム用の時間表示を行なう時計用針３１ｄ（時アラーム針）と、アラーム用の分表示を行なう時計用針３１ｅ（分アラーム針）とを回転可能に支持するものである。軸部３３ｄは、現在の時刻表示を行なう時計用針３１ｆ（秒針）を回転可能に支持するものである。
【００１７】
また、ムーブメント３には、軸部３３ａ〜３３ｄを介して、時計用針３１ａ〜３１ｆを回転駆動するための駆動機構（図示せず）が内蔵されている。そして、この駆動機構は、後述する太陽電池５で得られた電力によって作動することができる。これにより、時計用針３１ａ〜３１ｆがそれぞれ回転して、当該時計用針３１ａ〜３１ｆで現在の時刻等を確認することができる。なお、図２に示す構成では、軸部３３ａは、いわゆる筒車や日の裏車等と呼ばれる複数の歯車３３１が噛み合って構成された駆動機構に連結されており、軸部３３ｃは、いわゆる時アラーム車や中間車等と呼ばれる複数の歯車３３２が噛み合って構成された駆動機構に連結されている。
【００１８】
また、図４に示すように、外装部２には、ムーブメント３の他に、太陽電池５、文字板６、固定部材７も収納されている。ムーブメント３、太陽電池５、文字板６、固定部材７を組み立てるには、これらをムーブメント３、太陽電池５、固定部材７、文字板６の順に重ねていけばよい（図２参照）。そして、この組立状態のもの（以下「組立体１０」と言う）が外装部２に収納される。
【００１９】
ムーブメント３の表側の面３２には、円盤状をなす太陽電池５が重ねて設置されている。太陽電池５は、ムーブメント３と電気的に接続されており、光を受光することにより電力を生成し、電力をムーブメント３に供給することができる。太陽電池５としては、例えば、ｐ型半導体とｎ型半導体とを重ね合わせて接合したものを用いることができる。ｐ型半導体とは、高純度のシリコン半導体にホウ素等のような３価の元素を極微量混入させたものであり、ｎ型半導体とは、高純度のシリコン半導体にヒ素等のような５価の元素を極微量混入させたものである。このような構成の太陽電池５に光が照射されると、光電効果によりシリコン内部に電子および正孔が発生する。また、ｐ型半導体とｎ型半導体との境界部にあたるｐｎ接合部では、発生した電子および正孔のうち、プラスの電荷をもった正孔はｐ型半導体側へ、マイナスの電荷をもった電子はｎ型半導体側へ分離・誘導される。これにより、各半導体がそれぞれプラスとマイナスとに帯電して、電位差が生じ、よって、電力をムーブメント３に供給することができる。なお、ｐｎ接合部付近は、空乏層となる。
なお、太陽電池５は、可撓性を有するフィルム状をなすものが好ましい。これにより、太陽電池５と固定部材７とが当接した状態（図４、図５参照）であっても、これらに干渉縞が生じるのを防止することができる。
【００２０】
図２に示すように、太陽電池５には、ムーブメント３の軸部３３ａが挿通する円形の挿通孔５２ａが形成され、軸部３３ｂが挿通する円形の挿通孔５２ｂが形成され、軸部３３ｃが挿通する円形の挿通孔５２ｃが形成され、軸部３３ｄが挿通する円形の挿通孔５２ｄが形成されている。
太陽電池５の表側には、円盤状をなす、クロノグラフ用の文字板６が設置されている。この文字板６は、時刻を表示に用いられる１〜１２までの数字（図示せず）等が付されたものである。そして、例えば時計用針３１ａ、３１ｂが前記数字を指し示すことにより、時刻を確認することができる。なお、文字板６に付されるものとしては、数字等のような文字に限定されず、その他、記号、図形および目盛りであってもよい。
この文字板６には、ムーブメント３の軸部３３ａが挿通する円形の挿通孔６４ａが形成され、軸部３３ｂが挿通する円形の挿通孔６４ｂが形成され、軸部３３ｃが挿通する円形の挿通孔６４ｃが形成され、軸部３３ｄが挿通する円形の挿通孔６４ｄが形成されている。挿通孔６４ｂ〜６４ｄは、それぞれ、挿通孔６４ａよりも大きい孔となっている。
【００２１】
図４に示すように、文字板６とガラス板２１とは、外装部２の胴部２３の段差部２３１を介して、対向配置されている。また、文字板６の表側の面６３、ガラス板２１の裏側の面２１１とは、それぞれ、段差部２３１に当接している。これにより、文字板６とガラス板２１との間に、段差部２３１の厚さ分の間隙１１が形成されることとなる。そして、この間隙１１に、時計用針３１ａ〜３１ｆが配置される。また、間隙１１には、時計用針３１ａ〜３１ｆの他に、例えば宝石等のような装飾部材を配置することができる。これにより、時計１は、審美性が高く、デザイン性に富むものとなる。
【００２２】
また、文字板６のほとんどの部分は、光透過性を有して、すなわち、透明となっており、その構成材料としては、特に限定されず、例えば、各種ガラス材料、各種プラスチック材料が挙げられる。また、軽量、加工の容易性、耐衝撃性等の観点からプラスチック材料が好ましく、中でも、ポリカーボネートが好ましい。時計１では、文字板６、固定部材７を順次透過した光が太陽電池５に到達して、これにより、前述したように電力が生じる。
図２、図４に示すように、太陽電池５と文字板６との間には、固定部材７が設置されている。この固定部材７は、太陽電池５をムーブメント３に対して固定するものである。
【００２３】
固定部材７は、太陽電池５の表側に重ねられる円盤状をなす本体部７３を有している。本体部７３は、その裏側の面７５が太陽電池５の表側の面（受光面）５３に当接しており、当該表側の面５３を覆っている。組立体１０を組み立てる組立工程から、その次の工程の、組立体１０を外装部２に収納する収納工程までの間、固定部材７の本体部７３により、太陽電池５の面（受光面）５３を確実に保護することができ、よって、当該太陽電池５に損傷が生じたり、指紋が付着したりする等のような不具合を確実に防止することができる。
【００２４】
また、固定部材７の本体部７３の裏面側を太陽電池５の表側の面（受光面）５３に当接させて太陽電池５の中心部分を覆っていることにより、各歯車３３１（例えば、ムーブメント３の太陽電池５が積層される側から組み込まれている筒車）の断面方向の位置を規制することができ、よって、各歯車３３１同士の噛み合いが外れるのを確実に防止することができる。これにより、時計用針（指針）による時刻表示の進み、遅れ、止まりといった問題を生じさせないようにすることができる。
【００２５】
また、本体部７３のほとんどの部分は、光透過性を有して、すなわち、透明となっており、その構成材料としては、特に限定されず、例えば、各種ガラス材料、各種プラスチック材料が挙げられる。軽量、加工の容易性等の観点からプラスチック材料が好ましく、中でも、ポリカーボネートが好ましい。時計１では、固定部材７を透過した光が太陽電池５に到達して、これにより、前述したように電力が生じる。
【００２６】
さらに、本体部７３は、本体部７３に入射した光を拡散する光拡散機能を有している。これにより、例えば本体部７３の裏側にある太陽電池５で反射された光（反射光）が本体部７３に入射した際に拡散される。この拡散により本体部７３の上面側から放出される反射光を低減させることができるため、太陽電池５が本体部７３を介して視認されるのを防止または抑制することができる。一般的に腕時計では、太陽電池を外部からできる限り視認されないようにするのが好ましいため、時計１のように太陽電池５に対する視認性が抑制された場合、時計１の審美性が向上する。
【００２７】
なお、固定部材７に光拡散機能を担持させる構成としては、本体部７３の表側の面７４および裏側の面７５のうちの一方の面または双方の面に微小な凹凸を形成する構成が挙げられる。図５に示すように、固定部材７の表側の面７４および裏側の面７５にそれぞれ微小な凹凸を形成した場合、固定部材７が確実に光拡散機能を発揮することの他に、固定部材７を太陽電池５に載置する際に、指先が固定部材７に触れも、各面にそれぞれ付着した指紋が目立つのが防止される。また、固定部材７に光拡散機能を担持させる構成としては、微小な凹凸を形成することの他に、例えば、固定部材７の表側の面７４および裏側の面７５のうちの少なくとも一方に、拡散剤を含む拡散層を形成する方法、偏光フィルムを設置する方法等が挙げられる。あるいは、固定部材７を成形する際に基材となる材料に拡散剤を添加させて成形する方法であってもよい。
【００２８】
なお、図３に示すように、時計１を製造する際、本体部７３の光拡散機能の程度および色彩のうちの少なくとも１つの条件が互いに異なる複数（図示の構成では３つ）の固定部材７Ａ、７Ｂ、７Ｃを用意し、これらの固定部材７Ａ〜７Ｃのなかから１つの固定部材７を適宜選択して時計１に組み込むことができる。これにより、時計１を製造するまでの一連の製造工程で、条件がそれぞれ異なる固定部材７を有する時計１を容易に製造することができ、よって、低コストでデザインバリエーションに富む時計１を得る。
【００２９】
従来から、文字板は、腕時計を構成する部品の中でも、比較的高価なものであるため、デザイン性を向上させようとして、複数種の文字板を用意すると、製造コストが増大していた。しかしながら、時計１では、比較的安価に製造することができる、単なる光拡散板の固定部材７で、デザイン性を向上させているため、従来のような製造コストの増大を抑制することができる。
【００３０】
図２〜図４に示すように、固定部材７には、ムーブメント３の軸部３３ａが挿通する挿通孔７９ａが形成され、軸部３３ｂが挿通する挿通孔７９ｂが形成され、軸部３３ｃが挿通する挿通孔７９ｃが形成され、軸部３３ｄが挿通する挿通孔７９ｄが形成されている。
そして、ムーブメント３に固定される固定部７１ａ、７１ｂが、固定部材７の中心部にある挿通孔７９ａを介して、対向して配置されている。固定部７１ａ、７１ｂは、それぞれ、下方に向かって突出形成されている。また、固定部７１ａ、７１ｂには、それぞれ、固定部材７の中心軸側に向かって突出した爪７１１が形成されている。
【００３１】
一方、ムーブメント３には、その外周部に固定部７１ａ、７１ｂの爪７１１がそれぞれ係合する一対の係合部３５が外側に向かって突出形成されている。これらの係合部３５は、ムーブメント３の中心軸を介して対向して配置されている。
ムーブメント３上に太陽電池５を載置した状態で、その上方から固定部材７を重ねると、当該固定部材７の固定部７１ａの爪７１１が一方の係合部３５に係合し、固定部７１ｂの爪７１１が他方の係合部３５に係合する（図２参照）。これにより、固定部材７を介して、太陽電池５がムーブメント３に対し固定された状態となる。そして、この固定状態では、固定部材７の本体部７３とムーブメント３との間で太陽電池５の全体が強固に挟持されることとなる。これにより、時計１の使用中に（経時的に）、特に太陽電池５の中心部付近がムーブメント３から浮いてしまうのを確実に防止することができる。
以上のように、固定部材７は、光を拡散する光拡散機能と、太陽電池５を固定する固定機能とを有するものとなっている。これは、例えば、光拡散機能を有する部材と、固定機能を有する部材とを別体で時計１に設けた場合に比べて、時計１の薄型化、小型化に寄与する。
【００３２】
また、時計１は、クロノグラフであり、このクロノグラフは一般的に腕時計の中でも特に厚さが厚いものとなってしまうが、前述したように薄型化されるため、比較的薄型のクロノグラフとなる。
図２に示すように、固定部材７の裏側の面７５には、下方に向かって突出した円柱状のピン７６ａ、７６ｂが形成されている。ピン７６ａ、７６ｂは、それぞれ、固定部材７の周方向で固定部７１ａ、７１ｂと異なる位置に、すなわち、固定部７１ａ、７１ｂの間に配置されている。
【００３３】
一方、太陽電池５には、その外周部にピン７６ａ、７６ｂがそれぞれ当接する欠損部５５ａ、５５ｂが形成されている。
また、ムーブメント３には、その外周部にピン７６ａ、７６ｂがそれぞれ当接する凹部で構成された一対の挿入部３６が形成されている。
ムーブメント３上に太陽電池５を載置した状態で、その上方から固定部材７を重ねると、当該固定部材７のピン７６ａが太陽電池５の欠損部５５ａ、ムーブメント３の一方の挿入部３６に当接し、ピン７６ｂが太陽電池５の欠損部５５ｂ、ムーブメント３の他方の挿入部３６に当接する。これにより、ムーブメント３と太陽電池５と固定部材７との面方向の位置関係が規制される。そして、この位置関係が規制されたまま、太陽電池５がムーブメント３に固定される。これにより、時計１を使用している最中に、例えば振動等によって太陽電池５がその面方向に位置ズレするのを確実に防止することができる。このように、時計１では、固定部材７のピン７６ａ、７６ｂと、太陽電池５の欠損部５５ａ、５５と、ムーブメント３の各挿入部３６とが、ムーブメント３と太陽電池５と固定部材７との面方向の位置関係を規制する位置決め手段（裏側位置決め手段）として機能している。
【００３４】
また、固定部材７の表側の面７４には、ピン７７ａ、７７ｂ、７８ａ、７８ｂが突出して形成されている。ピン７７ａ、７７ｂ同士は、互いに大きさ、形状が同じであり、ピン７８ａ、７８ｂ同士も、互いに大きさ、形状が同じであるが、ピン７７ａ、７７ｂとピン７８ａ、７８ｂとは、互いに大きさも形状も異なっている。なお、図示の構成では、大きさも形状も異なるピン同士が、固定部材７の周方向に沿って交互に配置されたものとなっている。
【００３５】
ピン７７ａ、７７ｂは、それぞれ、円柱状をなしている。そして、ピン７７ａは、文字板６の外周部に形成され、内径がピン７７ａと同じ欠損部６７ａに挿入され、ピン７７ｂは、文字板６の外周部に形成され、内径がピン７７ｂと同じ欠損部６７ｂに挿入される。これにより、固定部材７に対し文字板６の面方向の位置決め、すなわち、固定部材７と文字板６との位置関係の規制が行なわれる。このように、ピン７７ａ、７７ｂは、それぞれ、位置決め用ピン（表側位置決め手段）として機能する。
【００３６】
また、ピン７８ａ、７８ｂは、それぞれ、ほぼ四角柱をなしている。そして、ピン７８ａは、文字板６の外周部に形成され、最大幅がピン７８ａと欠損部６８ａに挿入され、ピン７８ｂは、文字板６の外周部に形成され、最大幅がピン７８ｂと欠損部６８ｂに挿入される。これにより、文字板６の前記位置決め状態を維持して固定することができる。このように、ピン７８ａ、７８ｂは、それぞれ、固定用ピンとして機能する。
このようなピン７７ａ、７７ｂ、７８ａ、７８ｂが形成されていることにより、固定部材７に文字板６を載置した際、固定部材７に対する文字板６の位置決めと固定とをほぼ同時に行うことができる。
【００３７】
なお、固定部材７の構成材料としては、特に限定されず、例えば、ガラス板２１と同じ構成材料や、ポリエチレン、ポリプロピレン等のような各種樹脂材料を用いることができる。
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
【符号の説明】
【００３８】
１……腕時計（時計）  ２……外装部（ケース）  ２１……ガラス板（透明基板）  ２１１……裏側の面  ２３……胴部  ２３１……段差部  ２４……りゅうず  ２５……裏蓋  ２６……中枠  ２６１……バネ部  ３……ムーブメント  ３１ａ、３１ｂ、３１ｃ、３１ｄ、３１ｅ、３１ｆ……時計用針（指針）  ３２……表側の面  ３３ａ、３３ｂ、３３ｃ、３３ｄ……軸部  ３３１、３３２……歯車  ３５……係合部  ３６……挿入部  ４……バンド  ５……太陽電池  ５２ａ、５２ｂ、５２ｃ、５２ｄ……挿通孔  ５３……表側の面（受光面）  ５５ａ、５５ｂ……欠損部  ６……文字板  ６３……表側の面  ６４ａ、６４ｂ、６４ｃ、６４ｄ……挿通孔  ６７ａ、６７ｂ、６８ａ、６８ｂ……欠損部  ７、７Ａ、７Ｂ、７Ｃ……固定部材  ７１ａ、７１ｂ……固定部  ７１１……爪  ７３……本体部  ７４……表側の面  ７５……裏側の面  ７６ａ、７６ｂ、７７ａ、７７ｂ、７８ａ、７８ｂ……ピン  ７９ａ、７９ｂ、７９ｃ、７９ｄ……挿入孔  １０……組立体  １１……間隙
【図１】
2011163877.tif 000003
【図２】
2011163877.tif 000004
【図３】
2011163877.tif 000005
【図４】
2011163877.tif 000006
【図５】
2011163877.tif 000007